(57)【要約】【課題】吸気グリルに帯電する静電気を逃して吸気グリルへの粉塵の付着を防止できる電気集塵ユニットを提供すること。【解決手段】高電圧が印加されるように設けられた放電針３を有し中央が前方に膨出した形状の吸気グリル４と、放電針３の風下側に設けられる通風可能なアース電極５と集塵フィルタ６とを設けたフィルタユニット７を備え、吸気グリル４を非導電性樹脂からなる非導電リブ８と、導電性からなる導電リブ９を格子状に配設して形成し、導電リブ８をアース電極５に接続することにより、吸気グリル４に帯電する静電気が逃げて、吸気グリル４への粉塵の付着を防止することができる。【選択図】  図１
2005021817.tif 000002
【特許請求の範囲】
【請求項１】
空気調和機等の空気流路に設けられる横長の保持ユニットと、この保持ユニットの一端部に設けられる高圧印加装置と、前記保持ユニットに着脱自在に設けられるフィルタユニットとを有し、このフィルタユニットは前記高圧印加装置と電気的に接続される放電針を備えた中央が前方に膨出した形状の吸気グリルと、前記放電針の風下側に設けられる通風可能なアース電極と集塵フィルタとを設け、前記吸気グリルを非導電性樹脂からなる非導電リブと、導電性からなる導電リブを格子状に配設して形成し、前記導電リブをアース電極に接続する構成とした電気集塵ユニット。
【請求項２】
放電針の先端を投影面でみて導電リブで囲むように吸気グリルを形成した請求項１記載の電気集塵ユニット。
【請求項３】
放電針先端とアース電極までの最短距離と、前記放電針先端と吸気グリルの導電リブまでの最短距離を略同一とした請求項１または２記載の  電気集塵ユニット。
【請求項４】
吸気グリルの導電リブの先端に爪部を形成し、非導電性樹脂により形成された吸気グリルに凹形状の係合部を設け、前記爪部を係合部に係合して導電リブを取り付ける構成とした請求項１記載の電気集塵ユニット。
【請求項５】
外周に金属製の枠部を有するアース電極と、このアース電極の枠部と吸気グリルの導電リブとを複数筒所で連結する連結手段とを備え、前記連結手段により吸気グリルの非導電リブを挟持する構成とした請求項１記載の電気集塵ユニット。
【請求項６】
放電針の風下側に設けられるアース電極上の前記放電針との最短位置に平板状の補助電極板を設けた請求項１記載の電気集塵ユニット。
【請求項７】
アース電極の枠部に収納される集塵フィルタと、前記枠部の外側辺に形成される切断ばりと、前記アース電極の枠部との隙間を介して包囲するフィルタユニット枠とを備え、前記アース電極を基準面としたフィルタユニット枠の枠壁高さを、前記アース電極の枠部の高さより大とするとともに、前記集塵フィルターの厚み寸法を前記アース電極の枠部の枠壁高さより大とした請求項１記載の電気集塵ユニット。
【請求項８】
アース電極に収納される非変形性の集塵フィルタと、この集塵フィルタの開口側を押さえる格子状のフィルタ枠とを設けたフィルタユニットを備え、前記フィルタ枠の格子に集塵フィルタ側に向かい突設する微小突起を設けた請求項１記載の電気集塵ユニット。
【請求項９】
吸気グリルの前面に横長形状に形成された収納溝と、この収納溝に収納される形状で複数の放電針を連結した針状電極ユニットと、この針状電極ユニットの高圧受給端子となるＬ字状でフィルタユニット端部のスライド突起に嵌合する折曲片と、前記収納溝に嵌入する針状電極ユニットを覆う形状の針状電極カバーとを備え、前記針状電極カバーに押えリブを設け、前記針状電極ユニットに設けた凹部に当接して固定する構成とした請求項１記載の電気集塵ユニット。
【発明の詳細な説明】
【０００１】
【発明の属する技術分野】
本発明は、空気調和機の空気流路に設けられる電気集塵ユニットに関するものである。
【０００２】
【従来の技術】
従来、この種の電気集塵ユニットとして、フィルタ枠を合成樹脂で形成したものが知られている（例えば特許文献１参照）。
【０００３】
以下その電気集塵ユニットについて、図１６〜図１８を参照しながら説明する。
【０００４】
図に示すように、樹脂製のフィルタ枠１０１の吸水口１０２側に針状の放電電極１０３を設け、放電電極１０３に対向し通気可能なアース電極１０４を設け、アース電極１０４の風下側に設けられるフィルタ１０５によりフィルタ装置１０６を形成し、フィルタ装置１０６を装着することにより放電電極１０３にマイナスの高電圧を高電圧印加部１０７が印加し、アース電極１０４にアースが接続されるようにして空気調和機等に設けられた空気流路に高電圧印加装置１０８を配設していた。
【０００５】
【特許文献１】
特開２００３−１０７３１号公報（［００１４］、図１、図３、図１１）
【０００６】
【発明が解決しようとする課題】
しかしながら、上記従来の構成では、フィルター枠１０１は通常の合成樹脂で形成されているので、帯電した静電気によりフィルター枠１０１に粉塵が付着しやすくなり汚染されているという課題があった。
【０００７】
本発明は、上記従来の課題を解決するもので、吸気グリルに帯電する静電気を逃して吸気グリルへの粉塵の付着を防止できる電気集塵ユニットを提供することを目的としている。
【０００８】
【課題を解決するための手段】
上記従来の課題を解決するために、本発明の電気集塵ユニットは、空気調和機等の空気流路に設けられる横長の保持ユニットと、この保持ユニットの一端部に設けられる高圧印加装置と、前記保持ユニットに着脱自在に設けられる、フィルタユニットとを有し、このフィルタユニットは前記高圧印加装置と電気的に接続される放電針を備えた中央が前方に膨出した形状の吸気グリルと、前記放電針の風下側に設けられる通風可能なアース電極と集塵フィルタとを設け、前記吸気グリルを非導電性樹脂からなる非導電リブと、導電性からなる導電リブを格子状に配設して形成し、前記導電リブをアース電極に接続する構成としたものである。
【０００９】
また、放電針の先端を投影面で見て導電リブで囲むように吸気グリルを形成したものである。
【００１０】
また、放電針先端とアース電極までの最短距離と、前記放電針先端と吸気グリルの導電リブまでの最短距離を略同一としたものである。
【００１１】
また、吸気グリルの導電リブの先端に爪部を形成し、非導電性樹脂に形成された吸気グリルに凹形状の係合部を設け、前記爪部を係合部に係合して導電リブを取り付ける構成としたものである。
【００１２】
また、外周に金属製の枠部を有するアース電極と、このアース電極の枠部と吸気グリルの導電リブとを複数筒所で連結する連結手段とを備え、前記連結手段により吸気グリルの非導電リブを挟持する構成としたものである。
【００１３】
また、放電針の風下側に設けられるアース電極上の前記放電針との最短位置に平板状の補助電極板を設けたものである。
【００１４】
また、アース電極の枠部内に収納される集塵フィルタと前記枠部の外側辺に形成される切断ばりと、前記アース電極の枠部との隙間を介して包囲するフィルタユニット枠とを備え、前記アース電極を基準面としたフィルタユニット枠の枠壁高さを、前記アース電極の枠部の高さより大とするとともに、前記集塵フィルタの厚み寸法を前記アース電極の枠部の枠壁高さより大としたものである。
【００１５】
また、アース電極に収納される非変形性の集塵フィルタと、この集塵フィルタの開口側を押さえる格子状のフィルタ枠とを設けたフィルタユニットを備え、前記フィルタ枠の格子に集塵フィルタ側に向かい突設する微小突起を設けたものである。
【００１６】
また、吸気グリルの前面に横長形状に形成された収納溝と、この収納溝に収納される形状で複数の放電針を連結した針状電極ユニットと、この針状電極ユニットの高圧受給端子となるＬ字状でフィルタユニット端部のスライド突起に嵌合する折曲片と、前記収納溝に嵌入する針状電極ユニットを覆う形状の針状電極カバーとを備え、前記針状電極カバーに押えリブを設け、前記針状電極ユニットに設けた凹部に当接して固定する構成としたものである。
【００１７】
【発明の実施の形態】
請求項１に記載の発明は、空気調和機等の空気流路に設けられる横長の保持ユニットと、この保持ユニットの一端部に設けられる高圧印加装置と、前記保持ユニットに着脱自在に設けられるフィルタユニットとを有し、このフィルタユニットは前記高圧印加装置と電気的に接続される放電針を備えた中央が前方に膨出した形状の吸気グリルと、前記放電針の風下側に設けられる通風可能なアース電極と集塵フィルタとを設け、前記吸気グリルを非導電性樹脂からなる非導電リブと、導電性からなる導電リブを格子状に配設して形成し、前記導電リブをアース電極に接続することにより、吸気グリルに帯電する静電気を逃がすことが可能となり、吸気グリルへの粉塵の付着を防止して、汚れにくく洗浄しやすくするとともに、人体への感電を防止することができる。
【００１８】
請求項２に記載の発明は、放電針の先端を投影面で見て導電リブで囲むように吸気グリルを形成したことにより、放電針からのコロナ放電をアース電極以外の吸気グリルの導電リブにおいても行なわせ、マイナスイオンの放電領域を立体的に広げて粉塵への負イオン化を促進して集塵効率を回上させるとともに、吸気グリルの局所的な汚れを防止することができる。
【００１９】
請求項３に記載の発明は、放電針の先端とアース電極までの最短距離と、前記放電針の先端と吸気グリルの導電リブまでの最短距離を略同一としたことにより、放電針からのアース電極および導電リブへの放電量のバランスを保つことができ、集塵効率を安定化させるとともに、放電アンバランスで生じていたアース側部材の偏在汚れや、汚れによる劣化を防止することができる。
【００２０】
請求項４に記載の発明は、吸気グリルの導電リブの先端に爪部を形成し、非導電性樹脂により形成された吸気グリルに凹形状の係合部を設け、前記爪部を係合部に係合して導電リブを取り付けることにより、放電針と導電リブ先端とのアーク放電を防いで安全性を保ち、導電リブの位置決めを確実にし、組立作業を簡単に行うことができる。
【００２１】
請求項５に記載の発明は、外周に金属製の枠部を有するアース電極と、このアース電極の枠部と吸気グリルの導電リブとを複数筒所で連結する連結手段とを備え、前記連結手段により吸気グリルの非導電リブを挟持することにより、アース電極と接続して導電リブのアース接続を行なうのにねじなどの結合部品を使用することなく組立作業が容易となり、非導電リブを挟みこむサンドイッチ構造として、組立後は、枠構造のアース電極と吸気グリルを一体化して剛性のあるフィルタユニットを構成することができ、保持ユニットへの着脱に耐える強度が得られ、運転時の共振に起因する振動音の発生を防止できる。
【００２２】
請求項６記載の発明は、放電針の風下側に設けられるアース電極上の前記放電針との最短位置に平板状の補助電極板を設けたことにより、アース電極を形成するラス網部のエッジに局所的にコロナ放電してラス網に局所的にごみが付着して劣化する現象を防ぐとともに、コロナ放電のアース電極への範囲を広げて集塵効率を向上することができる。
【００２３】
請求項７に記載の発明は、アース電極の枠部内に収納される集塵フィルタと、前記枠部の外側辺に形成される切断ばりと、前記アース電極の枠部との隙間を介して包囲するフィルタユニット枠とを備え、前記アース電極を基準面としたフィルタユニット枠の枠壁高さを、前記アース電極の枠部の高さより大とするとともに、前記集塵フィルタの厚み寸法を前記アース電極の枠部の枠壁高さより大としたことにより、フィルタユニット枠の枠壁高さおよび集塵フィルタの厚み寸法の高さがアース電極の枠部の外側辺に形成される金属部の切断時に発生する切断ばりより高くなることとなり、切断ばりを、ばり取り加工により取り除かなくても良くなり、加工工数が削減されコストダウンを図ることができる。
【００２４】
請求項８に記載の発明は、アース電極に収納される非変形性の集塵フィルタと、この集塵フィルタの開口側を押える格子状のフィルタ枠とを設けたフィルタユニットを備え、前記フィルタ枠の格子に集塵フィルタ側に向かい突設する微小突起を設けたことにより、集塵フィルタとフィルタ枠との間に微小空間が形成され、集塵フィルタ全体に通風できるようになって集塵性能を向上することができる。
【００２５】
請求項９に記載の発明は、吸気グリルの前面に横長形状に形成された収納溝と、この収納溝に収納される形状で複数の放電針を連結した針状電極ユニットと、この針状電極ユニットの高圧受給端子となるＬ字状でフィルタユニット端部のスライド突起に嵌合する折曲片と、前記収納溝に嵌入する針状電極ユニットを覆う形状の針状電極カバーとを備え、前記針状電極カバーに押さえリブを設け、前記針状電極ユニットに設けた凹部に当接して固定する構成としたことにより、フィルタユニットの所定位置にねじなどを使用せずに簡単な取付作業で放電針を精度良く固定することができ、取付作業のばらつきに起因する集塵性能の低下を防止することができる。
【００２６】
以下、本発明の実施例について、図面を参照しながら説明する。
【００２７】
【実施例】
（実施例１）
図１〜図１５に示すように、空気調和機（図示せず）等の空気流路に設けられる横長の保持ユニット１の一端部に高圧印加装置２を設け、保持ユニット１にはフィルタユニット７を着脱可能に設けている。フィルタユニット７は高圧印加装置２に電気的に接続される放電針３を有し、中央が前方に膨出する形状の吸気グリル４と放電針３の風下側に設けられるアース電極５と集塵フィルタ６とを設けている。
【００２８】
吸気グリル４を非導電性樹脂からなる非導電リブ８と、導電性樹脂からなる導電リブ９を格子状に配設し、放電針３の先端を投影面で見て導電リブ９で囲むように形成し、吸気グリル４には取手１０を設ける。
【００２９】
また、導電リブ９は先端に爪部１１を形成し、非導電性樹脂により形成された吸気グリル４に凹状の係合部１２を設け、爪部１１を係合部１２に係合して導電リブ９が取り付けられる。
【００３０】
外周に金属製の枠部１３を有し、内部に通風性を有するラス網５ａを設け形成したアース電極５の枠部１３に入口が狭く奥部に円形孔を設けた杓子状の切欠孔１４ａを設けた取付部１４ｂを複数箇所に設け、導電リブ９に杓子状の突部９ａを設け、アース電極５の取付部１４ｂに設けた切欠孔１４ａに嵌合して導電リブ９とアース電極５を連結する連結手段１４を形成し、連結手段１４により吸気グリル４の非導電性リブ８を挟持するように設け、導電リブ９をアース電極５に接続する。
【００３１】
また、図１に示す放電針３の先端とアース電極５までの最短距離（ａ）と図８に示す放電針３の先端と吸気グリル４の導電リブ９までの最短距離（ｂ）を略同一とし、アース電極５からの最短位置に円形で平板状の補助電極板１５を設ける。
【００３２】
また、アース電極５の枠部１３に収納される集塵フィルタ６と、枠部１３の外側辺に形成される切断時に発生する切断ばり１６と、アース電極５の枠部１３との隙間１７を介して包囲するフィルタユニット７とを備え、アース電極５を基準面としたフィルタユニット枠１８の枠壁高さを、アース電極５の切断ばり１６が形成された枠部１３の高さより大とするとともに、集塵フィルタ６の厚み寸法をアース電極５の枠部１３の枠壁高さより大として形成する。
【００３３】
また、アース電極５に収納される非変形性の集塵フィルタ６の開口側を押さえる格子状のフィルタ枠１９を吸気グリル４に開閉自在に設け、フィルタ枠１９の格子１９ａ部分に集塵フィルタ６側に向かい突設する微小突起２０を設ける。
【００３４】
また、吸気グリル４の前面に、横長形状に形成された収納溝２１を設け、収納溝２１に収納される形状で複数の放電針３を連結した針状電極ユニット２２を設け、針状電極ユニット２２の高圧受給端子となるＬ字状でフィルタユニット７端部のスライド突起２３に嵌合する折曲片２４と、収納溝２１に嵌入する針状電極ユニット２２を覆う形状の針状電極カバー２５とを設け、針状電極カバー２５に押さえリブ２６を設け針状電極ユニット２２に設けた凹部２７に当接して針状電極ユニット２２を固定する構成とする。
【００３５】
上記構成において、空気調和機等の空気流路に保持ユニットを介して取り付けられたフィルタユニット７に空気が流れると吸気グリル４に設けた放電針３に高圧印加装置１２から印加されているマイナスの高電圧とアース電極５により放電針３の附近に大きな電界が形成され、空気分子中の電子が分離したり、また分離した電子が別の空気分子に結合するなどして空気分子がイオン化され空気イオンとなり、空気イオンが電界の力によって拡散し粉塵に付着して粉塵を帯電させ、帯電した粉塵粒子は粒子同志の緩衝を防ぎ、アース電極５の風下側に設けた集塵フィルタ６に吸着されて集塵される。
【００３６】
このように本発明の実施例１の電気集塵ユニットによれば、空気調和機等の空気流路に設けられる横長の保持ユニット１の一端部に高圧印加装置２を設け、また、保持ユニット１にフィルタユニット７を着脱自在に設け、このフィルタユニット７は高圧印加装置２と電気的に接続される放電針３を有し、中央が前方に膨出した形状の吸気グリル４と、放電針３の風下側に設けられる通風可能なアース電極５と集塵フィルタ６とを設け、保持ユニット１に着脱自在に設けられるフィルタユニット７を設け、吸気グリル４を非導電性樹脂からなる非導電リブ８と、導電性からなる導電リブ９を格子状に配設して形成し、導電リブ９をアース電極５に接続することにより、吸気グリル４に帯電する静電気を逃がすことが可能となり、吸気グリル４への粉塵の付着を防止して、汚れにくく洗浄しやすくなるとともに、人体への感電を防止することができる。
【００３７】
また、放電針３の先端を投影面で見て導電リブ９で囲むように吸気グリル４を形成したことにより、放電針３からのコロナ放電をアース電極５以外の吸気グリル４の導電リブ９においても行なわせ、マイナスイオンの放電領域を立体的に広げて粉塵へのマイナスイオン化を促進して集塵効率を向上させることができるとともに、吸気グリル４の局所的な汚れを防止することができる。
【００３８】
また、放電針３の先端とアース電極５までの最短距離（ａ）と、放電針３の先端と吸気グリル４の導電リブ９までの最短距離（ｂ）を略同一としたことにより、放電針３からのアース電極５および導電リブ９への放電量のバランスを保つことができ、集塵効率を安定化させるとともに、放電アンバランスで生じていたアース側部材の偏在汚れや、汚れによる劣化を防止することができる。
【００３９】
また、吸気グリル４の導電リブ９の先端に爪部１１を形成し、非導電性樹脂により形成された吸気グリル４に凹形状の係合部１２を設け、爪部１１を係合部１２に係合して導電リブ９を取り付けることにより、放電針３と導電リブ９先端とのアース放電を防いで安全性が保たれ、導電リブ９の位置決めを確実にし、組立作業を簡単に行うことができる。
【００４０】
また、外周に金属製の枠部１３を有するアース電極５と、アース電極５の枠部１３と吸気グリル４の導電リブ９とを複数箇所で連結する連結手段１４とを設け、連結手段１４により吸気グリル４の非導電リブ８を挟持することにより、アース電極５と接続して導電リブ９のアース接続を行なうのにねじなどの結合部品を使用することはなく組立作業が容易となり、非導電リブ８を挟み込むサンドイッチ構造として、組立後は、枠構造のアース電極５と吸気グリル４を一体化して剛性のあるフィルタユニット７を構成することができ、保持ユニット１への着脱に耐えるだけの強度が得られ、運転時に共振による騒音の発生するのを防止することができる。
【００４１】
また、放電針３の風下側に設けられるアース電極５上の放電針３との最短位置に平板状の補助電極１５を設けたことにより、アース電極５を形成するラス網５ａ部のエッジに局所的にコロナ放電をしてラス網５ａに局所的にごみが付着して劣化する現象を防ぐとともにコロナ放電のアース電極５への範囲を広げて集塵効率を向上することができる。
【００４２】
また、アース電極５の枠部１３内に収納される集塵フィルタ６と、枠部１３の外側辺に形成された切断ばり１６と、アース電極５の枠部１３との隙間１７を介して包囲するフィルタユニット枠１８とを設け、アース電極５を基準面としたフィルタユニット枠１８の枠壁高さを、アース電極５の枠部１３の高さより大とするとともに、集塵フィルタ６の厚み寸法をアース電極５の枠部１３の枠壁高さより大としたことにより、フィルタユニット枠１８の枠壁高さおよび、集塵フィルタ６の厚み寸法の高さが、アース電極５の枠部１３の外側辺に形成される金属部の切断時に発生する切断ばり１６より高くなることとなり、切断ばり１６をばり取り加工により取り除かなくても切断ばり１６が邪魔になることがなくなり、加工工数が削減されコストダウンを図ることができる。
【００４３】
また、アース電極５に収納される非変形性の集塵フィルタ６と、集塵フィルタ６の開口側を押さえる格子状のフィルタ枠１９を設けたフィルタユニット７を備え、フィルタ枠１９の格子１９ａに集塵フィルタ６側に向かい突設する微小突起２０を設けたことにより、集塵フィルタ６とフィルタ枠１９との間に微小空間が形成され、集塵フィルタ６全体に通風できるようになって集塵性能を向上することができる。
【００４４】
また、吸気グリル４の前面に横長形状に形成された収納溝２１と、収納溝２１に収納される形状で複数の放電針３を連結した針状電極ユニット２２と、針状電極ユニット２２の高圧受給端子となるＬ字状でフィルタユニット７端部のスライド突起２３に嵌合する折曲片２４と、収納溝２１に嵌入する針状電極ユニット２２を覆う形状の針状電極カバー２５とを備え、針状電極カバー２５に押さえリブ２６を設け、針状電極ユニット２２に設けた凹部２７に当接して固定する構成としたことにより、フィルタユニット７の所定位置にねじなどを使用せずに簡単な取付作業で放電針３を精度良く固定することができ、取付作業のばらつきに起因する集塵性能の低下を防止することができる。
【００４５】
【発明の効果】
以上の実施例から明らかなように、本発明によれば空気調和機等の空気流路に設けられる横長の保持ユニットと、この保持ユニットの一端部に設けられる高圧印加装置と、前記保持ユニットに着脱自在に設けられるフィルタユニットとを有し、前記高圧印加装置と電気的に接続される放電針を備えた中央が前方に膨出した形状の吸気グリルと、前記放電針の風下側に設けられる通風可能なアース電極と集塵フィルタとを設け、前記保持ユニットに着脱自在に設けられるフィルタユニットとを備え、前記吸気グリルを非導電性樹脂からなる非導電リブと、導電性からなる導電リブを格子状に配設して形成史し、前記導電リブをアース電極に接続する構成としたので、吸気グリルへの粉塵の付着を防止し、汚れにくく、洗浄しやすくするとともに、人体への感電を防止できる電気集塵ユニットを提供できる。
【００４６】
また、放電針の先端を投影面で見て導電リブで囲むように吸気グリルを形成したので、集塵効率を向上させるとともに、吸気グリルへの局所的な汚れを防止することができる。
【００４７】
また、放電針の先端とアース電極までの最短距離と、前記放電針の先端と吸気グリルの導電リブまでの最短距離を略同一としたので、集塵効率を安定化することができるとともに、アース側部材の偏在汚れや汚れによる劣化を防止することができる。
【００４８】
また、吸気グリルの導電リブの先端に爪部を形成し、非導電性樹脂により形成された吸気グリルに凹形状の係合部を設け、前記爪部を係合部に係合して導電リブを取り付ける構成としたので、アーク放電を防いで安全性を保ち導電リブの位置決めを確実にし、組立作業を簡易に行うことができる。
【００４９】
また、外周に金属製の枠部を有するアース電極と、このアース電極の枠部と吸気グリルの導電リブとを複数箇所で連結する連結手段とを備え、前記連結手段により吸気グリルの非導電リブを挟持する構成としたので、組立作業が容易で、剛性のあるフィルタユニットを構成することができ、共振による振動騒音の発生を防止することができる。
【００５０】
また、放電針の風下側に設けられるアース電極上の前記放電針との最短位置に平板状の補助電極板を設けたので、ラス網に局所的にごみが付着して劣化する現象が防止できるとともに、集塵効率を向上することができる。
【００５１】
また、アース電極の枠部内に収納される集塵フィルタと、前記枠部の外側辺に形成される切断ばりと、前記アース電極の枠部との隙間を介して包囲するフィルタユニット枠とを備え、前記アース電極を基準面としたフィルタユニット枠の枠壁高さを、前記アース電極の枠部の高さより大とするとともに、前記集塵フィルタの厚み寸法を前記アース電極の枠部の枠壁高さより大としたので、切断ばりをばり取り加工により取り除かなくても、切断ばりが邪魔にならず安全を保ち、加工工数が削減されコストダウンを図ることができる。
【００５２】
また、アース電極に収納される非変形性の集塵フィルタと、この集塵フィルタの開口側を押さえる格子状のフィルタ枠とを設けたフィルタユニットを備え、前記フィルタ枠の格子に集塵フィルタ側に向かい突設する微小突起を設けたので、集塵フィルタ全体に通風ができ、集塵性能の向上を図ることができる。
【００５３】
また、吸気グリルの前面に横長形状に形成された収納溝と、この収納溝に収納される形状で複数の放電針を連結した針状電極ユニットと、この針状電極ユニットの高圧受給端子となるＬ字状でフィルタユニット端部のスライド突起に嵌合する折曲片と、前記収納溝に嵌入する針状電極ユニットを覆う形状の針状電極カバーとを備え、前記針状電極カバーに押さえリブを設け、前記針状電極ユニットに設けた凹部に当接して固定する構成としたので、フィルタユニットの所定位置にねじなどを使用せずに放電針を精度良く固定することができ、取付作業のバラツキに起因する集塵性能の不良を防止することができる。
【図面の簡単な説明】
【図１】本発明の実施例１の電気集塵ユニットのフィルタユニットを示す断面図
【図２】同電気集塵ユニットの保持ユニットの正面図
【図３】同電気集塵ユニットのフィルタユニットの正面図
【図４】同電気集塵ユニットの導電リブを係止する係合部を示す外観斜視図
【図５】同電気集塵ユニットの導電リブの係合状態を示す要部透視の斜視図
【図６】同電気集塵ユニットのアース電極の斜視図
【図７】同電気集塵ユニットのアース電極と導電リブの結合状態を示す斜視図
【図８】同電気集塵ユニットの放電針と導電リブとの関係を示す要部正面図
【図９】同電気集塵ユニットの補助電極板を示す要部正面図
【図１０】同電気集塵ユニットのフィルタユニット枠とアース電極の関係を示す断面図
【図１１】同電気集塵ユニットのフィルタ枠を示す正面図
【図１２】同電気集塵ユニットの吸気グリルとフィルタ枠の関係を示す側面図
【図１３】同電気集塵ユニットの集塵フィルタの取付時の状態を示す分解斜視図
【図１４】同電気集塵ユニットの吸気グリルと針状ユニットおよび針状電極カバーとの関係を示す分解斜視図
【図１５】同電気集塵ユニットの吸気グリルと針状ユニットおよび針状電極カバーとの関係を示す拡大図
【図１６】従来の電気集塵ユニットのフィルタ装置の構成を示す断面図
【図１７】同電気集塵ユニットのフィルタ枠の背面図
【図１８】同電気集塵ユニットのフィルタ装置の正面図
【符号の説明】
１  保持ユニット
２  高圧印加装置
３  放電針
４  吸気グリル
５  アース電極
６  集塵フィルタ
７  フィルタユニット
８  非導電リブ
９  導電リブ
１１  爪部
１２  係合部
１３  枠部
１４  連結手段
１５  補助電極板
１６  切断ばり
１７  隙間
１８  フィルタユニット枠
１９  フィルタ枠
１９ａ  格子
２０  微小突起
２１  収納溝
２２  針状電極ニット
２３  スライド突起
２４  折曲片
２５  針状電極カバー
２６  押えリブ
２７  凹部
【図１】
2005021817.tif 000003
【図２】
2005021817.tif 000004
【図３】
2005021817.tif 000005
【図４】
2005021817.tif 000006
【図５】
2005021817.tif 000007
【図６】
2005021817.tif 000008
【図７】
2005021817.tif 000009
【図８】
2005021817.tif 000010
【図９】
2005021817.tif 000011
【図１０】
2005021817.tif 000012
【図１１】
2005021817.tif 000013
【図１２】
2005021817.tif 000014
【図１３】
2005021817.tif 000015
【図１４】
2005021817.tif 000016
【図１５】
2005021817.tif 000017
【図１６】
2005021817.tif 000018
【図１７】
2005021817.tif 000019
【図１８】
2005021817.tif 000020